(57)【要約】【課題】フロッグ型ルアーのフッキング率を向上させる。【解決手段】軟質な本体と、ルアーの進行方向側に位置付けるように本体の前部に設けられたラインアイと、ラインアイと繋がって本体の後方へ伸びると共に本体の後部に沿うように湾曲して針先が前方側に向けられたフックとを備えたルアーにおいて、フックの針先が位置付けられる本体の一方面と対向する他方面に該本体よりも硬質な硬質部を形成し、本体の他方面の変形を硬質部によって制限し、本体の硬質部が形成されていない部分がフックの針先を突出させるように変形するように構成する。【選択図】  図３
2010057404.tif 000002
【特許請求の範囲】
【請求項１】
軟質な本体と、ルアーの進行方向側に位置付けるように本体の前部に設けられたラインアイと、ラインアイと繋がって本体の後方へ伸びると共に本体の後部に沿うように湾曲して針先が前方側に向けられたフックとを備えたルアーであって、フックの針先が位置付けられる本体の一方面と対向する他方面に該本体よりも硬質な硬質部が形成されており、本体における他方面の変形が硬質部で制限されることにより、本体における硬質部が形成されていない部分がフックの針先を突出させるように変形することを特徴とするルアー。
【請求項２】
硬質部が本体におけるフックの針先よりも前方側から後方へ伸びており、フックの針先よりも前方側に位置する他方面の変形が制限される請求項１記載のルアー。
【請求項３】
硬質部の側辺が本体の他方面に沿った輪郭を有している請求項１又は２のいずれかに記載のルアー。
【請求項４】
硬質部とは別に錘が本体の他方面に固定されている請求項１乃至３のいずれかに記載のルアー。
【請求項５】
本体におけるフックの針先よりも前方側に位置する硬質部が、フックの針先よりも後方側に位置する部分によって囲まれた本体の後部の厚みよりも幅広に形成された部分を有する請求項１乃至４のいずれかに記載のルアー。
【請求項６】
請求項１乃至５のいずれかに記載のルアーに使用される硬質部が形成されているルアーの本体。
【発明の詳細な説明】
【技術分野】
【０００１】
本発明は、ルアー及びルアーの本体に関するものである。
【背景技術】
【０００２】
周知のとおり、ルアーフィッシングに用いるルアーとして水面に広がる水草の表面を沿うように移動させてブラックバスや雷魚などを誘うフロッグと呼ばれるルアー（以下、単に「ルアー」という）がある。
【０００３】
ルアーは、後出特許文献１及び２に開示されているように、軟質素材からなる中空状の本体と、ルアーの進行方向に位置するように本体の前部に設けられたラインアイと、ラインアイに繋がれて本体の内部から外部へ突出するフックとを備え、フックが本体の後部に沿うように下面側から上面側へ湾曲し、針先を前方へ向けた状態で本体の上面に沿うように位置付けた基本構成を有している。
【０００４】
前記の公知ルアーによれば、本体が中空状に形成されており、浮力によって水面に浮上するため、水中に沈むことなく、また、フックが本体の後部に沿って下面側から上面側へと湾曲し、針先が本体の上面に沿うように位置付けられているため、水面に浮遊する障害物がフックに引っ掛かることが殆どない。これにより、例えば、水面に水草が広がっている場所においても、水草の表面を沿うように移動させることができ、他のルアーでは障害物に引っ掛かって回収不可能になるようなポイントに対してもキャスティングすることができる。
【特許文献１】特開２００１−７８６２６号公報
【発明の開示】
【発明が解決しようとする課題】
【０００５】
ところが、前記の公知ルアーは、針先を本体に沿って隠した状態にして障害物への引っ掛かりを防止していることから、魚が食い付いた際に、魚が中空状の本体を上下方向以外の方向（例えば、左右方向）に咥えると、フックが潰れた本体に埋没して魚を引っ掛けることができない場合が多く、一方、魚が中空状の本体を上下方向に咥えると、フックが潰れた本体から針先が突出して魚を引っ掛けることができるものの、針先が僅かしか突出しないため、フッキングするタイミングが非常にシビアとなり、フッキング率が他のルアーに比べて低く、初心者には非常に扱い難いルアーとされてきた。
【０００６】
そこで、本発明は、魚が食い付いた際に、魚が中空状の本体を咥える方向に関係なくフックが大きく突出してフッキング率が向上するルアーを提供することを技術的課題として、その具現化をはかるべく、試作・実験を繰り返した結果、軟質な本体と、ルアーの進行方向側に位置付けるように本体の前部に設けられたラインアイと、ラインアイと繋がって本体の後方へ伸びると共に本体の後部に沿うように湾曲して針先が前方側に向けられたフックとを備えたルアーにおいて、フックの針先が位置付けられる本体の一方面と対向する他方面に該本体よりも硬質な硬質部を形成すれば、魚が食い付いた際に、魚が本体を咥える方向に関係なく、フックの針先が本体から大きく突出してルアーのフッキング率が向上するという刮目すべき知見を得、当該技術的課題を達成したものである。
【課題を解決するための手段】
【０００７】
前記技術的課題は、次の通りの本発明によって解決できる。
【０００８】
また、本発明に係るルアーは、軟質な本体と、ルアーの進行方向側に位置付けるように本体の前部に設けられたラインアイと、ラインアイと繋がって本体の後方へ伸びると共に本体の後部に沿うように湾曲して針先が前方側に向けられたフックとを備えたルアーであって、フックの針先が位置付けられる本体の一方面と対向する他方面に該本体よりも硬質な硬質部が形成されており、本体の他方面が硬質部によって変形を制限されることで該本体の硬質部が形成されていない部分がフックの針先を突出させるように変形するものである。
【０００９】
また、本発明は、前記ルアーにおいて、硬質部が本体におけるフックの針先よりも前方側から後方へ伸びており、フックの針先よりも前方側に位置する他方面の変形が制限されるものである。
【００１０】
また、本発明は、前記いずれかのルアーにおいて、硬質部の側辺が本体の他方面に沿った輪郭を有しているものである。
【００１１】
また、本発明は、前記いずれかのルアーにおいて、硬質部とは別に錘が本体の他方面に固定されているものである。
【００１２】
また、本発明は、前記いずれかのルアーにおいて、本体におけるフックの針先よりも前方側に位置する硬質部が、フックの針先よりも後方側に位置する部分によって囲まれた本体の後部の厚みよりも幅広に形成された部分を有するものである。
【００１３】
さらに、本発明に係るルアーの本体は、前記いずれかのルアーに使用される硬質部が形成されたものである。
【発明の効果】
【００１４】
本発明によれば、ルアーの本体の他方面に硬質部を形成したので、魚がルアーに食い付いた際に、本体が上下方向以外の方向から魚に咥えられても、硬質部によって他方面の潰れが抑止されて一方面のみが一方的に潰れるため、フックの針先が本体に隠れることなく突出する。また、硬質部によって他方面の幅方向への潰れが抑止されると、魚の口内においてルアーが回転し易くなって自然に本体が上下方向から魚に咥えられた状態へ修正される。そして、本体が上下方向から魚に咥えられると、本体が軟質な一方面から硬質な他方面側へと一方的に潰れるため、一方面に沿うように位置付けられたフックの針先が大きく露出し、これにより、魚に対するフッキング率が格段に向上する。
【００１５】
従って、本発明の産業上利用性は非常に高いといえる。
【発明を実施するための最良の形態】
【００１６】
以下、本発明の実施の形態を図面に基づき説明する。
【００１７】
実施の形態１．
【００１８】
図１は本実施の形態に係るルアーを示した斜視図である。図２は図１に示すルアーを示した底面図である。図３は図２に示すルアーを示したＡ−Ａ断面図である。図４は図１に示すルアーを上下方向に咥えるように魚が食い付いた際における本体の変形を示した説明図であり、図において本体の水掻きが省略されている。図５は図４の（ｂ）に示すルアーを示した断面図である。図６は図１に示すルアーを斜め方向に咥えるように魚が食い付いた際における本体の変形を示した説明図であり、図中、ルアーは端面にて示されており、本体以外の部材が省略している。これらの図において、１は、軟質な中空状の本体２と、ルアー１の進行方向側に位置するように本体２の前部３に設けられたラインアイ４と、ラインアイ４と繋がって本体２の内部から外部へ突出して本体２の後部５に沿うように湾曲して針先６を本体２の上面７（一方面）側に位置付けたフック８と、本体２におけるフック８の針先６が位置付けられた上面７と対向する反対側の底面９（他方面）に形成された硬質部１０とを備えたルアーである。
【００１９】
本体２は、釣りの対象となる魚（以下、「対象魚」という）が捕食するカエルなどの生き物を模した外観形状に成形されることが一般的であるが、これに限定されることなく、そのような生き物を模していない外観形状に成形してもよい。また、本体を構成する素材としては、少なくとも外部から力を加えることによって変形する軟質のものであればよく、外部から力を加えた後にその力を取り除くことによって元の形状に戻る復元性を有するものが好ましい。具体的には、塩化ビニルなどの合成樹脂を用いることが好適である。
【００２０】
本実施の形態における本体２は、カエルを模しており、後部５には左右に向かってカエルの後脚に見立てた水掻き１１が伸びている。そして、図２及び図３に示すように、本体２の前端部１２は、先細り状になっており、中空内部１３へと貫通する開孔１４が形成されている。また、本体２の底面９には、針先６よりも前方の位置から後方へ伸びる凹部１５が形成されていると共に、凹部１５よりも後方の位置に中空内部１３へと貫通する開口１６が形成されている。なお、凹部１６には、硬質板１７が嵌め込まれている。
【００２１】
ラインアイ４は、線材の両端を環状に湾曲してなる連結具１８の一端側によって形成されている。そして、連結具１８は、線材の他端側によって形成された連結部１９を本体２の中空内部１３に収納した状態でラインアイ４のみを本体２の前端部１２に形成された開孔１４から本体２の外部へ突出させるように取り付けられている。これにより、開孔１４は、ラインアイ４と連結部１９との間に位置する軸部２０によって塞がれた状態となり、本体２の中空内部１３への水の侵入が防止される。なお、連結具１８の軸部２０には、ルアー１が対象魚に引っ張られた際に連結具１８が本体２から抜けること防ぐための抜止具２１が固定されている。
【００２２】
フック８は、線材を成形して略Ｊ字状に形成されており、ラインアイ４に繋がって本体２の中空内部１３に位置付けられる針元部２２と、針元部２２から伸びて本体２の外部に位置付けられる針先部２３とから構成されている。針元部２２は、ラインアイ４の連結部１９と連結するための環状の連結部２４を先端に有しており、連結部２４から本体２の底面９側へ伸びた後にＬ字状に屈曲して開口１６まで達している。また、針先部２３は、本体２の後部５に沿って本体２の底面９側から上面７側へと湾曲しており、針先６を本体２の上面７に沿うように位置付けている。そして、フック８における本体２の開口１６を通過する位置、即ち、針先部２３と針元部２２との境界の位置には、開口１６を塞ぐ形状に成形されたキャップ２５が固着されている。キャップ２５には、周面に溝２６が形成されており、当該溝２６に開口１６の縁端を嵌め込むことによって本体２に固定されている。
【００２３】
なお、キャップ２５は、錘の役割を果たしており、ルアー１を水面に浮かべた際に、中空状の本体２の浮力によってルアー１が水中に沈むことなく、水面に浮上するように重量が調節されている。
【００２４】
硬質部１０は、本体２の底面９に形成された凹部１５に嵌る形状に成形された硬質板１７によって形成されている。そして、硬質板１７は、本体２の底面９に形成された凹部１５に嵌め込まれて接着剤によって固定されている。従って、硬質部１０は、本体２の針先より前方側から後方へ伸びるように形成される。また、硬質部１０の針先よりも前方側には、少なくともフック８が沿うように湾曲して位置付けられる本体２の後部の最も厚みのある部分の厚みよりも幅広に形成された部分を有している。
【００２５】
なお、硬質部１０は、少なくとも軟質な本体２よりも硬質であればよく、硬質部１０を構成する素材としては、例えば、合成樹脂を使用すればよいが、より好ましくは可塑剤の添加量によって硬度を調節した本体２を形成する素材と同じ素材を使用すればよい。本体を形成する素材と同じ素材を使用することにより、本体２と硬質部１０との接合が強固になり、硬質部１０の剥がれを防止でき、また、本体２と硬質部１０を一体的に成形することもできる。
【００２６】
次に、本実施の形態に係るルアー１の使用態様を説明すると共に、対象魚がルアー１の本体２を上下方向に咥えるように食い付いた際における本体２の変形する様子を説明する。
【００２７】
先ず、図４の（ａ）に示すように、本実施の形態に係るルアー１のラインアイ４に釣り竿から伸びるライン２７を結び付けた後、池や湖等のポイントへキャスティングすると、ルアー１は、キャップ２５の重さによって本体２のキャップ２５が固定された側の面（底面９）を下方に向けて水面に着水し、中空状の本体２に生じる浮力によって水面まで浮上する。なお、ルアー１のキャップ２５が後寄りに固定されているので、前部３に比べて後部５が水中に深く沈んだ姿勢を維持する。
【００２８】
次に、対象魚２８がルアー１の本体２を上下方向に咥えると、図４の（ｂ）に示すように、本体２が魚の下顎２９と上顎３０の間に挟まれた状態となり、この時、図５に示すように、対象魚２８の下顎２９が接する本体２の底面９は、硬質部１０が形成されているために変形せず、対象魚２８の上顎３０が接する本体２の針先６よりも前方に位置する上面７は軟質であるために変形し、本体２の上面７が底面９側に向かって一方的に潰れて凹むことにより、フック８の針先６が本体２の上面７の凹みによって大きく突出して露出する。
【００２９】
続いて、対象魚２８が食い付いて図４の（ｂ）に示す状態になったルアー１をラインアイに結び付けられているライン２７で引っ張ると、図４の（ｃ）に示すように、本体２から突出した針先６が対象魚２８の上顎３０に引っ掛かり、対象魚２８をフッキングすることができる。
【００３０】
次に、前記使用態様において対象魚がルアー１の本体２に斜め方向から食い付いた際における本体の変形する様子を説明する。
【００３１】
対象魚２８がルアー１の本体２を斜め方向に咥えると、図６の（ａ）に示すように、本体２が魚の下顎２９と上顎３０に挟まれた状態となり、この時、対象魚２８の下顎２９が接する底面９の一方の側部３１は、硬質部１０の一方の側縁３２が位置するために変形せず、対象魚２８の上顎３０が接する本体２の針先６よりも前方に位置する上面７の他方の側部３３は、軟質であるために変形し、図６の（ｂ）に示すように、本体２の上面７のみが歪むように潰れた状態となる。さらに、対象魚２８がルアー１の本体２を斜め方向に更に強く咥えると、硬質部１０の一方の側縁３２が下顎２９によって上方に突き上げられると共に、硬質部１０の他方の側縁３４が上顎３０によって下方に突き下げられるため、本体２が対象魚２８の口内において回転する。そして、図６の（ｃ）に示すように、ルアー１における本体２の底面９が中央にて対象魚２８の下顎２９に接すると共に、本体２の上面７が中央にて対象魚２８の上顎３０に接した状態となり、本体２の上面７が底面９側に向かって一方的に潰れて凹むことにより、フック８の針先６が本体２の上面７の凹みによって大きく突出して露出する。
【００３２】
なお、対象魚２８がルアー１の本体２を上下方向以外の方向に咥えた場合にも、前記斜め方向から咥えた場合と同様の作用効果が得られ、例えば、対象魚２８がルアー１の本体２を左右方向に加えた場合には、本体２が魚の下顎２９と上顎３０に挟まれた際に、本体２の底面９に形成された硬質部１０の幅方向への変形が制限され、これにより、本体２が対象魚２８の口内で回転するため、対象魚２８が本体２を斜め方向から加えた場合と同じ状況が再現されるからである。
【００３３】
実施の形態２．
【００３４】
本実施の形態は前記実施の形態１における本体の変形例である。図７は本実施の形態に係る変形例１を示した断面図である。図８は本実施の形態に係る変形例２を示した断面図である。図９は本実施の形態に係る変形例３を示した断面図である。これらの図において、図１〜６と同一符号は同一又は相当部分を示しており、フック8は連結部２４から屈曲することなく開口１６まで達している。
【００３５】
変形例１：本変形例に係る本体２は、図７に示すように、底面９に針先６より前方の位置から針先６の位置まで伸びる凹部１５が形成されており、凹部１５は、中央を深く二段状に窪ませて形成されている。そして、凹部１５に嵌め込まれる硬質板１０は、凹部１５の段差に合わせて二段状に形成されている。凹部１５に対して硬質板１０を固定する場合には、接着剤にて貼り付ければよい。
【００３６】
変形例２：本変形例に係る本体２は、図７に示すように、底面９に針先６よりも前方の位置から針先６よりも後方の位置まで伸びる凹部１５が形成されており、凹部１５には、中空内部１３へと繋がる二つの嵌孔３５が形成されている。そして、凹部１５に嵌め込まれる硬質板１０は、凹部１５の嵌孔３５に当たる位置に該嵌孔３５よりも大径に形成された先端を有する突起部３６が設けられている。凹部１５に対して硬質板１０を固定する場合には、硬質板１０の突起部３６の先端を嵌孔３５に対して嵌め込むことによって固定することができる。よって、凹部１５に硬質板１０を固定する際に、接着剤を使用する必要がなく、着脱自在に固定することができる。
【００３７】
変形例３：本変形例に係る本体２は、図８に示すように、底面９に針先６よりも前方の位置から針先６よりも後方の位置まで伸びる凹部１５が形成されており、凹部１５は、段差を形成する周壁に楔状の溝３７が形成されている。そして、凹部１５に嵌め込まれる硬質板１０は、凹部１５の溝３７に嵌るように周縁部３８が斜めにカットされた楔状に形成されている。凹部１５に硬質板１０を固定する場合には、硬質板１０の周縁部３８を凹部１５に嵌め込むことによって硬質板１０の周縁部３８が凹部１５の溝３７に嵌り込んで固定される。よって、本変形例３においても前記変形例２と同様の作用・効果を得ることができる。
【００３８】
なお、本実施の形態におけるいずれの変形例においても前記実施の形態１と同様の作用・効果を得ることができる。
【００３９】
実施の形態３．
【００４０】
本実施の形態は前記実施の形態１に係るルアーの変形例である。図１０は本実施の形態に係るルアーを示した底面図である。図１１は図１０に示すルアーを示したＢ−Ｂ断面図である。この図において、図１〜５と同一符号は同一又は相当部分を示している。
【００４１】
本実施の形態に係るルアー１は、軟質な中空状の本体２と、ルアー１の進行方向側に位置するように本体２の前部３に設けられたラインアイ４と、ラインアイ４と一体的に繋がれて本体２の内部から外部へと突出して本体２の後部５に沿うように湾曲して針先６を本体２の上面７に位置付けたフック８と、フック８の本体２の内部に位置付けれる部分に固定された錘３９と、錘３９とは別に本体２の底面９に形成される硬質部１０とを備えたルアーである。
【００４２】
本体２の底面９には、フック８の形成する線材の幅よりも広く、本体２のラインアイ４と該ラインアイ４から最も離れて位置付けられるフック８の後端とを水平線上に一致させた状態で、針先６より前方の位置から針先６より後方の位置まで伸びる硬質部１０が形成されている。なお、硬質部１０は、本体２の底面９に硬化性を有する素材を塗布することによって形成されている。
【００４３】
ラインアイ４は線材の一端側を環状に湾曲させて形成されており、その線材の他の部分を略J字状に湾曲させてフック８が形成されている。そして、線材は、ラインアイ４を本体２の前部３の開孔１４から本体２の外部に突出させた状態でフック８を本体２の中空内部１３を通して本体２の後部５の底面９を破って本体２の外部に突出させている。その後に本体２の底面９に硬質部１０を形成するための素材を塗布することによって開口１４が塞がれて硬質部１０が形成される。なお、硬質部１０を形成するための素材としては、紫外線を照射することによって硬化する樹脂や温度変化によって硬化する樹脂などを使用することができる。
【００４４】
なお、前記各実施の形態においては、フックとして針先を一つしか有さないシングルフックを使用しているが、これに限定されることなく、ダブルフックを使用することもできる。
【００４５】
また、前記各実施の形態においては、フックの一部のみを本体の外面に沿わせるように位置付けているが、フックの全部を本体の外面に沿わせるように形成してもよい。
【００４６】
また、前記各実施の形態においては、本体を中空に形成しているが、本体が軟質であれば中空に限らない。
【図面の簡単な説明】
【００４７】
【図１】実施の形態１に係るルアーを示した斜視図である。
【図２】図１に示すルアーを示した底面図である。
【図３】図２に示すルアーを示したＡ−Ａ断面図である。
【図４】図１に示すルアーを上下方向に咥えるように魚が食い付いた際における本体の変形を示した説明図である。
【図５】図４の（ｂ）に示すルアーを示した断面図である。
【図６】図１に示すルアーを斜め方向に咥えるように魚が食い付いた際における本体の変形を示した説明図である。
【図７】実施の形態２に係る変形例１を示した断面図である。
【図８】実施の形態２に係る変形例２を示した断面図である。
【図９】実施の形態２に係る変形例３を示した断面図である。
【図１０】実施の形態３に係るルアーを示した底面図である。
【図１１】図９に示すルアーを示した底面図である。
【符号の説明】
【００４８】
１  ルアー
２  本体
３  前部
４  ラインアイ
５  後部
６  針先
７  上面
８  フック
９  底面
１０  硬質部
１１  水掻き
１２  前端部
１３  中空内部
１４  開孔
１５  凹部
１７  硬質板
１９  連結部
２０  軸部
２１  抜止具
２２  針元部
２３  針先部
２４  連結部
２５  キャップ
２６  溝
２７  ライン
２８  対象魚
２９  下顎
３０  上顎
３１  一方の側部
３２  一方の側縁
３３  他方の側部
３４  他方の側縁
３５  突起部
３６  嵌孔
３７  溝
３８  周縁部
３９  錘
【図１】
2010057404.tif 000003
【図２】
2010057404.tif 000004
【図３】
2010057404.tif 000005
【図４】
2010057404.tif 000006
【図５】
2010057404.tif 000007
【図６】
2010057404.tif 000008
【図７】
2010057404.tif 000009
【図８】
2010057404.tif 000010
【図９】
2010057404.tif 000011
【図１０】
2010057404.tif 000012
【図１１】
2010057404.tif 000013